(57)【要約】      （修正有）【課題】組み合わせ作業が簡単な光ファイバアダプターを提供する。【解決手段】本体ユニット２と組み合わせ手段３を備えた光ファイバアダプターであって、本体ユニット２は、互いに相対するよう第１の方向Ｄ１へ延伸する一対の側辺２１１が形成された基板２１と、基板２１の一対の側辺２１１から第１の方向Ｄ１と直交する第２の方向Ｄ２へ互いに平行となるよう延伸する一対の延伸板２２とを備え、組み合わせユニット３は、本体ユニット２に設けられると共に、各延伸板２２の側縁２２１にそれぞれ設けられる一対の第１の組み合わせ部３１と、基板２１の一対の側辺２１１にそれぞれ形成されると共に光ファイバアダプターとは異なる他の光ファイバアダプターの一対の第１の組み合わせ部３１と相互に接続することができる一対の第２の組み合わせ部３２を備える。【選択図】図３
0003223844.tif 000002
【実用新案登録請求の範囲】
【請求項１】
本体ユニットと組み合わせ手段とを備えた光ファイバアダプターであって、
前記本体ユニットは、
互いに相対するように第１の方向へ延伸する一対の側辺が形成された基板と、
前記基板の前記一対の側辺から前記第１の方向と直交する第２の方向へ互いに平行となるように延伸する一対の延伸板とを備え、
各前記延伸板は前記基板の前記第２の方向における前記側辺とは反対側に、前記側辺と平行となるよう前記第１の方向に沿って延伸する側縁を備え、
前記組み合わせ手段は、
前記本体ユニットに設けられるとともに、各前記延伸板の前記側縁にそれぞれ設けられる一対の第１の組み合わせ部と、
前記基板の前記一対の側辺にそれぞれ形成されるとともに前記光ファイバアダプターとは異なる他の前記光ファイバアダプターの前記一対の第１の組み合わせ部と相互に接続することができる一対の第２の組み合わせ部とを備える
ことを特徴とする光ファイバアダプター。
【請求項２】
前記本体ユニットは、前記一対の延伸板と前記基板とによって画成される内空間を囲み、
各前記延伸板には、前記内空間と外部を前記第１の方向と前記第２の方向のいずれにも直交する第３の方向に沿って連通する型抜きスロットがそれぞれ形成され、
前記本体ユニットは、各前記型抜きスロットを着脱可能に封止する一対の封止板を更に備える
ことを特徴とする請求項１に記載の光ファイバアダプター。
【請求項３】
各前記第１の組み合わせ部はそれぞれ前記側縁において前記第１の方向に沿って延伸する凸起であり、
各前記第２の組み合わせ部はそれぞれ前記基板の前記一対の側辺において前記第１の方向に沿って延伸する凹部である
ことを特徴とする請求項１に記載の光ファイバアダプター。
【請求項４】
前記内空間には、前記一対の延伸板の間を繋ぐように前記内空間を二つに隔てる仕切り板と、
前記第１の方向に沿って延伸するとともに、前記仕切り板で隔てられた前記内空間同士を繋ぐように前記仕切り板を貫通する接続管とを備える、
ことを特徴とする請求項２に記載の光ファイバアダプター。
【請求項５】
前記第２の方向における前記基板の外側で前記本体ユニットに着脱可能に取り付けられる側面接続ユニットを更に備え、
前記側面接続ユニットは、前記第１の方向に沿って延伸する側面板と、
前記側面板において前記第１の方向と前記第２の方向のいずれにも直交する第３の方向に沿って互いに間隔をあけるように形成されるとともに、前記第１の組み合わせ部又は前記第２の組み合わせ部と接続するための側面組み合わせ部と、
前記側面板から前記第２の方向において前記側面組み合わせ部とは反対側に延伸する側面接続部とを備える
ことを特徴とする請求項１に記載の光ファイバアダプター。
【請求項６】
前記側面接続ユニットの各前記側面組み合わせ部は、前記側面板に突起するよう設けられる凸柱である
ことを特徴とする請求項５に記載の光ファイバアダプター。
【請求項７】
前記側面接続ユニットの各前記側面組み合わせ部は、前記側面板に凹設するよう設けられる凹溝である
ことを特徴とする請求項５に記載の光ファイバアダプター。
【考案の詳細な説明】
【技術分野】
【０００１】
本考案は光ファイバアダプターに関し、特に、他の光ファイバアダプターとの組み合わせが簡単である光ファイバアダプターに関する。
【背景技術】
【０００２】
図１に示されるように、従来の光ファイバアダプター１は、チャンバ１００を有する本体１０を備える。
【０００３】
本体１０は、図中では水平方向に配置されるベース壁１１と、ベース壁１１の両側から、前記水平方向と直交する上下方向の下側に延伸する一対の側壁１２と、前記水平方向の一つを構成する前後方向における同じ側の側縁にそれぞれ形成された一対の被嵌入部１３と、この一対の被嵌入部１３とは前後方向において反対側に形成されると共に、この一対の被嵌入部１３の形状と対応して上下方向に延伸するよう凹設された嵌入溝１４と、側壁１２に設けられるフックユニット１５とを備える。
【０００４】
被嵌入部１３は、他の光ファイバアダプター１の嵌入溝１４に対応するように突起しており、他の光ファイバアダプター１の嵌入溝１４に入れることができる。
【０００５】
また、フックユニット１５は、２つのフック部１５１と、２つのフック溝１５２とを備えている。図示のように、手前側の側壁１２から１つのフック部１５１が上方へ突起し、その隣に１つのフック溝１５２が設けられている。そして奥側の側壁１２からも１つのフック部１５１が上方へ突起し、その隣に１つのフック溝１５２が設けられている。
【０００６】
１つの光ファイバアダプター１のフックユニット１５のフック部１５１を他の光ファイバアダプター１のフック溝１５２と嵌め合わせることにより、２つの光ファイバアダプター１を直列に接続することができる。そして１つの光ファイバアダプター１の被嵌入部１３を他の光ファイバアダプター１の嵌入溝１４と嵌め合わせることにより、２つの光ファイバアダプター１を並列に接続することができる。
【０００７】
図２には複数の光ファイバアダプター１が互いに直列及び並列に接続される形態が示されている。
【０００８】
図１と図２に示されているように、第１の光ファイバアダプター１Ａの凸状に形成されたフック部１５１と第２の光ファイバアダプター１Ｂのフック溝１５２を係合させて互いに連結する。また、第２の光ファイバアダプター１Ｂの凸状に形成されたフック部１５１と第１の光ファイバアダプター１Ａのフック溝１５２を係合させて互いに連結する。
【０００９】
そして、図２に示すように、第２の光ファイバアダプター１Ｂの前後方向における後側には第３の光ファイバアダプター１Ｃが接続されている。すなわち、第３の光ファイバアダプター１Ｃの被嵌入部１３（角度の関係で図示せず）が、第２の光ファイバアダプター１Ｂの嵌入部１４（角度の関係で図示せず）に連接される。このようにして複数の光ファイバアダプター１同士が連結される。
【考案の概要】
【考案が解決しようとする課題】
【００１０】
しかし、このような従来の光ファイバアダプター１同士を連結するにはフック部１５１と、他の光ファイバアダプターのフック溝１５２を連結する必要がある他、前後方向に並べるためには被嵌入部１３と他の光ファイバアダプター１の嵌入溝１４をも連結する必要があり、接続作業が煩雑であった。
【００１１】
このような問題に鑑みて、本考案は、組み合わせ作業が簡単な光ファイバアダプターを提供することを目的とする。
【課題を解決するための手段】
【００１２】
上記問題に鑑みて、本考案は組み合わせ作業を簡単に行うことができる光ファイバアダプターを提供することを目的とする。
【００１３】
上記目的に達成すべく、本考案は、本体ユニットと組み合わせ手段を備えた光ファイバアダプターであって、前記本体ユニットは、互いに相対するよう第１の方向へ延伸する一対の側辺が形成された基板と、前記基板の前記一対の側辺から前記第１の方向と直交する第２の方向へ互いに平行となるよう延伸する一対の延伸板とを備え、各前記延伸板は前記基板の前記第２の方向における前記側辺とは反対側に、前記側辺と平行となるよう前記第１の方向に沿って延伸する側縁を備え、前記組み合わせ手段は、前記本体ユニットに設けられると共に、各前記延伸板の前記側縁にそれぞれ設けられる一対の第１の組み合わせ部と、前記基板の前記一対の側辺にそれぞれ形成されると共に前記光ファイバアダプターとは異なる他の光ファイバアダプターの一対の第１の組み合わせ部と相互に接続することができる一対の第２の組み合わせ部を備えることを特徴とする光ファイバアダプターを提供する。
【考案の効果】
【００１４】
上記構成によれば、本考案の光ファイバアダプターは直列に接続する必要がなく、そして第１の組み合わせ部と第２の組み合わせ部との噛みあいを利用して素早く並列に接続することができる。
【図面の簡単な説明】
【００１５】
【図１】従来の光ファイバアダプターの一例の構成を説明する斜視図である。
【図２】該従来の複数の光ファイバアダプターを互いに組み合わせた状態が示されている斜視図である。
【図３】本考案の光ファイバアダプターの第１の実施形態の構成を説明する斜視図である。
【図４】図３とは異なる角度から見た第１の実施形態の構成を説明する斜視図である。
【図５】第１の実施形態による本体ユニットが互いに組み合わされる状態を説明する斜視図である。
【図６】本考案の光ファイバアダプターの第２の実施形態の構成を説明する斜視図である。
【図７】本考案の第２の実施形態を他の角度から説明する斜視図である。
【図８】本考案の第２の実施形態の変形例を説明する斜視図である。
【図９】本考案の第２の実施形態の他の変形例を説明する斜視図である。
【図１０】第１の実施形態による光ファイバアダプターと第２の実施形態の光ファイバアダプターを組み合わせた実施形態である。
【考案を実施するための形態】
【００１６】
以下は図面を用いながら本考案について詳しく説明する。ちなみに、以下の説明では、本考案において類似する構造を持ち、且つ同等な機能を発揮するものに関しては、全く同じものでなくても、同じ符号が振り分けられていることを断っておく。
【００１７】
まず、図３〜図４に本考案の光ファイバアダプターの第１の実施形態が示されている。図３は本考案の光ファイバアダプターの第１の実施形態を説明する斜視図であり、図４は図３とは異なる角度から見た代１の実施形態を説明する斜視図である。
【００１８】
図３〜図４に示すように、本考案の光ファイバアダプターの第１の実施形態は、本体ユニット２と、本体ユニット２に配置された組み合わせ手段３とを備える。
【００１９】
本体ユニット２は、互いに相対するよう第１の方向Ｄ１へ延伸する一対の側辺２１１が形成された基板２１と、基板２１の一対の側辺２１１から前記第１の方向Ｄ１と直交する第２の方向Ｄ２へ互いに平行となるよう延伸する一対の延伸板２２とを備えている。各延伸板２２は基板２１の前記第２の方向Ｄ２における側辺２１１とは反対側に、側辺２１１と平行となるよう前記第１の方向Ｄ１に沿って延伸する側縁２２１を備えている。
【００２０】
本体ユニット２は、一対の延伸板２２と基板２１によって画成される内空間２００を囲み、各延伸板２２には、内空間２００と外部を前記第１の方向Ｄ１と前記第２の方向Ｄ２のいずれにも直交する第３の方向Ｄ３に沿って連通する型抜きスロット２２０がそれぞれ形成され、本体ユニット２は、各前記型抜きスロット２２０を着脱可能に封止する一対の封止板２９(図面では角度のため１つだけ示す)を更に備えている。
【００２１】
内空間２００には、前記一対の延伸板２２の間を繋ぐように前記内空間２００を第１の方向Ｄ１において二つに隔てる仕切り板２３と、前記第１の方向Ｄ１に沿って延伸すると共に、仕切り板２３で隔てられた内空間２００同士を繋ぐように仕切り板２３を貫通する接続管２４(図面では角度のため１つだけ示す)とが配置されている。
【００２２】
組み合わせ手段３は、本体ユニット２に設けられると共に、各延伸板２２の側縁２２１にそれぞれ設けられる一対の第１の組み合わせ部３１と、基板２１の前記一対の側辺２１１にそれぞれ形成されると共に他の光ファイバアダプターの一対の第１の組み合わせ部３１と相互に接続することができる一対の第２の組み合わせ部３２とを備える。本実施形態において、各第１の組み合わせ部３１はそれぞれ側縁２２１に前記第１の方向Ｄ１に沿って延伸する凸起であり、各第２の組み合わせ部３２はそれぞれ基板２１の一対の側辺２１１に前記第１の方向Ｄ１に沿って延伸する凹部である。
【００２３】
図５は第１の実施形態による本体ユニット２を互いに組み合わせた状態を説明する斜視図である。
【００２４】
図５を参照し、複数の第１の実施形態の間で、第１の組み合わせ部３１と第２の組み合わせ部３２が相互に組み合わせられることを利用して、第１の実施形態の第１の組み合わせ部３１のうちの１つと、他の第１の実施形態の第２の組み合わせ部３２とを相互に接続させることにより、２つの第１の実施形態を基板２１に対して垂直な方向（即ち第２の方向Ｄ２）に沿って、相互に組み合わせることができる。必要とされる排列の形態に応じて、適切な数を選択することができ、上記手順のように連続的に接続し、単一方向に延伸するアダプターを完成させることができる。なお、本実施形態によれば、図１に示した従来の光ファイバアダプター１とは異なり、基板２１と平行な方向に沿って接続する構造が省略され、すなわち、従来の光ファイバアダプター１におけるフック部１５１およびフック溝１５２の構造が省略されていて、本実施形態では、光ファイバアダプター１を事前に組み合わせる必要がある構造が一体成型の方法で省略されている。したがって、第１の実施形態は、従来技術と比較して、実行する必要がある組み合わせ動作を確実に減らすことができることにより、組み合わせの効率が高められて、光ファイバネットワークを配置する効率も高められる。
【００２５】
図６〜図７に本考案の光ファイバアダプターの第２の実施形態が示されており、図６は本考案の光ファイバアダプターの第２の実施形態を説明する斜視図であり、図７は本考案の第２の実施形態を他の角度から説明する斜視図である。
【００２６】
図６および図７に示されるように、第２の実施形態と第１の実施形態との異なる点は、第２の実施形態では、前記第２の方向Ｄ２における基板２１の外側で本体ユニット２に着脱可能に取り付けられる側面接続ユニット４を更に備える点にある。
【００２７】
側面接続ユニット４は、前記第１の方向Ｄ１に沿って延伸する側面板４１と、側面板４１において前記第３の方向Ｄ３に沿って互いに間隔をあけるように形成されると共に、第１の組み合わせ部３１若しくは第２の組み合わせ部３２と接続するための側面組み合わせ部４２と、側面板４１から前記第２の方向Ｄ２において側面組み合わせ部４２とは反対側に延伸する側面接続部４３を備える。
【００２８】
各側面組み合わせ部４２は、側面板４１から突起するよう設けられる凸柱である。
【００２９】
図８〜図９に本考案の第２の実施形態の別の実施形態が示されており、図８は本考案の第２の実施形態の変形例を説明する斜視図であり、図９は本考案の第２の実施形態の他の変形例を説明する斜視図である。
【００３０】
図８および図９に示されるように、本変形例において、側面接続ユニット４の各側面組み合わせ部４２は、側面板４１に凹設するよう設けられる凹溝であり、すなわち、第１の実施形態の各第２の組み合わせ部３２の形態と同じであり、凸柱形態である第１の組み合わせ部３１と接続することができる。
【００３１】
図１０は第１の実施形態による光ファイバアダプターと第２の実施形態の光ファイバアダプターを組み合わせた実施形態である。
【００３２】
図１０に示されるように、第２の実施形態の側面接続部４３は、アダプターの組み合わせが完成された後に、アダプター全体を他の設備の両側接続構造に組み合わせるために使用される。すなわち、複数の第１の実施形態の光ファイバアダプターの組み合わせの両端に第２の実施形態の光ファイバアダプターが接続されており、そして両端の側面接続部４３によって他の設備に組み合わせることができる。
【００３３】
図１０に示されるように、必要な数の第１の実施形態の組み合わせが完成した後に、その両側に、第１の組み合わせ部３１と第２の組み合わせ部３２とを相互に組み合わせることができることを利用し、側面接続ユニット４が側面組み合わせ部４２によって接続されている第２の実施形態を、組み合わせが完成した２つの第１の実施形態のそれぞれに接続し、それによって、側面接続ユニット４の側面接続部４３を利用し、他の設備に接続することができる光ファイバアダプターアセンブリを組み立てることができる。
【００３４】
以上をまとめると、本考案の光ファイバアダプターでは、基板２１の方向に平行であり且つ組み合わせる必要がある組み合わせ構造が省略されており、第１の組み合わせ部３１と第２の組み合わせ部３２を接続する構造を利用し、単方向に沿って比較的簡単な組み合わせ動作で、アダプターの組み合わせを効率的に完成させ、光ファイバネットワークを配置する効率が高められ、それによって本考案の目的を確実に達成することができる。
【００３５】
以上述べたものは、本考案の実施の形態に過ぎず、本考案の実施範囲はこれに限定されることなく、実用新案登録出願の範囲および本考案の明細書に書かれたことの簡単な変化および修正はすべて本考案の範囲に網羅される。
【産業上の利用可能性】
【００３６】
本考案の光ファイバアダプターは、直列に接続する必要がなく、そして第１の組み合わせ部と第２の組み合わせ部との嵌め合わせを利用して素早く並列に接続することができるので、光ファイバーを設置する作業の効率を向上することができる。
【符号の説明】
【００３７】
１  光ファイバアダプター
１０  本体
１００  チャンバ
１１  ベース壁
１２  側壁
１３  被嵌入部
１４  嵌入溝
１５  フックユニット
１５１  フック部
１５２  フック溝
２  本体ユニット
２００  内空間
２１  基板
２１１  側辺
２２  延伸板
２２０  型抜きスロット
２２１  側縁
２３  仕切り板
２４  接続管
２９  封止板
３  組み合わせ手段
３１  第１の組み合わせ部
３２  第２の組み合わせ部
４  側面接続ユニット
４１  側面板
４２  側面組み合わせ部
４３  側面接続部
【図１】
0003223844.tif 000003
【図２】
0003223844.tif 000004
【図３】
0003223844.tif 000005
【図４】
0003223844.tif 000006
【図５】
0003223844.tif 000007
【図６】
0003223844.tif 000008
【図７】
0003223844.tif 000009
【図８】
0003223844.tif 000010
【図９】
0003223844.tif 000011
【図１０】
0003223844.tif 000012